(57)【要約】      （修正有）【課題】ユーザが同一の映像コンテンツを異なる視点で視聴する場合に、映像コンテンツ配信サービスに対するユーザの満足度を向上させることが可能な映像コンテンツ配信システムを提供する。【解決手段】ユーザ端末の送信部が表示部に表示された視野映像の視点を第１視点から第２視点に切り替えることを要求する視点切替要求信号を受信部３２１に送信した時点から、ユーザ端末の受信部が第２視点に対応する視野映像データをコンテンツ管理サーバ３から受信する時点までの間、コンテンツ管理サーバ３は、第１視点に対応する視野映像データをユーザ端末に送信し続ける。受信部３２１が視点切替要求信号を受信したときに、視聴停止時刻決定部３２６は、ユーザが第１視点からの視野映像の視聴を停止する第１視聴停止時刻を決定するとともに、視聴開始時刻決定部３２７は、ユーザが第２視点からの視野映像の視聴を開始する第２視聴開始時刻を決定する。【選択図】図６
2017139794.tif 000002
【特許請求の範囲】
【請求項１】
コンテンツを視聴可能なユーザ端末とコンテンツ管理サーバとが通信ネットワークを介して互いに通信可能に接続された映像コンテンツ配信システムであって、
前記ユーザ端末は、
視野映像データを前記コンテンツ管理サーバから受信するように構成された第１受信部と、
前記受信した視野映像データに基づいて、表示部に視野映像を表示するように構成された表示制御部と、
前記ユーザ端末に対するユーザからの入力操作に従って、前記表示部に表示された視野映像の視点を現在の視点である第１視点から第２視点に切り替えることを要求する視点切替要求信号を生成するように構成された視点切替要求信号生成部と、
前記生成された視点切替要求信号を前記コンテンツ管理サーバに送信するように構成された第１送信部と、を備え、
前記コンテンツ管理サーバは、
前記視点切替要求信号を前記ユーザ端末から受信するように構成された第２受信部と、
前記ユーザが前記第１視点からの視野映像の視聴を開始する第１視聴開始時刻と前記ユーザが前記第２視点からの視野映像の視聴を開始する第２視聴開始時刻とを決定するように構成された視聴開始時刻決定部と、
前記ユーザが前記第１視点からの視野映像の視聴を停止する第１視聴停止時刻と前記ユーザが前記第２視点からの視野映像の視聴を停止する第２視聴停止時刻とを決定するように構成された視聴停止時刻決定部と、
前記第１視聴開始時刻と前記第１視聴停止時刻に基づいて、前記第１視点からの視野映像の視聴時間である第１視聴時間を決定するとともに、前記第２視聴開始時刻と前記第２視聴停止時刻に基づいて、前記第２視点からの視野映像の視聴時間である第２視聴時間を決定するように構成された視聴時間決定部と、
前記第１視点又は第２視点に対応する視野映像データを前記ユーザ端末に送信するように構成された第２送信部と、を備え、
少なくとも前記第１送信部が前記視点切替要求信号を前記第２受信部に送信した時点から前記第１受信部が前記第２視点に対応する視野映像データを前記コンテンツ管理サーバから受信する時点までの間、または、少なくとも前記第２受信部が前記視点切替要求信号を受信した時点から前記第２送信部が前記第２視点に対応する視野映像データを送信する時点までの間、前記コンテンツ管理サーバは、前記第１視点に対応する視野映像データを前記ユーザ端末に送信し続け、
前記第２受信部が前記視点切替要求信号を受信したときに、前記視聴停止時刻決定部は、前記第１視聴停止時刻を決定するとともに、前記視聴開始時刻決定部は、第２視聴開始時刻を決定する、映像コンテンツ配信システム。
【請求項２】
前記コンテンツ管理サーバは、
前記第１視聴時間に基づいて、前記第１視点に対応するユーザ課金情報を更新するとともに、前記第２視聴時間に基づいて、前記第２視点に対応するユーザ課金情報を更新するように構成されたユーザ課金情報更新部をさらに備える、請求項１に記載の映像コンテンツ配信システム。
【請求項３】
前記コンテンツ管理サーバは、
各視点に対応するユーザ課金情報に基づいて、前記視野映像の視聴により前記ユーザに課金すべき課金総額を決定するように構成されたユーザ課金総額演算部をさらに備える、請求項１又は請求項２に記載の映像コンテンツ配信システム。
【請求項４】
前記コンテンツ管理サーバは、
前記第２送信部が前記第２視点に対応する視野映像データの前記ユーザ端末への送信を開始する送信開始時刻を決定するように構成された送信開始時刻決定部をさらに備え、
前記視聴停止時刻決定部は、前記視点切替要求信号を取得した取得時刻を前記第１視聴停止時刻として決定し、
前記視聴開始時刻決定部は、前記送信開始時刻決定部によって決定された送信開始時刻を前記第２視聴開始時刻として決定する、請求項１から請求項３のうちいずれか一項に記載の映像コンテンツ配信システム。
【請求項５】
前記コンテンツ管理サーバは、
前記第２送信部が前記第２視点に対応する視野映像データの前記ユーザ端末への送信を開始する送信開始時刻を決定するように構成された送信開始時刻決定部と、
前記コンテンツ管理サーバと前記ユーザ端末との間の通信遅延を予測するように構成された通信遅延予測部と、
前記決定された送信開始時刻と前記予測された通信遅延とに基づいて、前記第２視点に対応する前記視野映像データが前記ユーザ端末に到達した到達時刻を予測するように構成された到達時刻予測部と、をさらに備え、
前記視聴停止時刻決定部は、前記視点切替要求信号を取得した取得時刻を前記第１視聴停止時刻として決定し、
前記視聴開始時刻決定部は、前記到達時刻予測部によって予測された到達時刻を前記第２視聴開始時刻として決定する、請求項１から請求項３のうちいずれか一項に記載の映像コンテンツ配信システム。
【請求項６】
前記ユーザ端末は、
前記第１送信部が前記視点切替要求信号の前記コンテンツ管理サーバへの送信を開始した送信開始時刻を示す第１タイムスタンプと、前記表示制御部が前記第２視点からの視野映像の前記表示部への表示を開始した表示開始時刻を示す第２タイムスタンプとを生成するように構成されたタイムスタンプ生成部をさらに備え、
前記第２受信部が前記第１，２タイムスタンプを前記ユーザ端末から受信したときに、
前記視聴停止時刻決定部は、前記受信した第１タイムスタンプに示された前記送信開始時刻を前記第１視聴停止時刻として決定し、
前記視聴開始時刻決定部は、前記受信した第２タイムスタンプに示された前記表示開始時刻を前記第２視聴開始時刻として決定する、請求項１から請求項３のうちいずれか一項に記載の映像コンテンツ配信システム。
【請求項７】
コンテンツを視聴可能なユーザ端末と通信ネットワークを介して通信可能に接続されたコンテンツ管理サーバであって、
前記コンテンツ管理サーバは、
ユーザ端末から視点切替要求信号を受信するように構成された第２受信部と、
前記ユーザが前記第１視点からの視野映像の視聴を開始する第１視聴開始時刻と前記ユーザが前記第２視点からの視野映像の視聴を開始する第２視聴開始時刻とを決定するように構成された視聴開始時刻決定部と、
前記ユーザが前記第１視点からの視野映像の視聴を停止する第１視聴停止時刻と前記ユーザが前記第２視点からの視野映像の視聴を停止する第２視聴停止時刻とを決定するように構成された視聴停止時刻決定部と、
前記第１視聴開始時刻と前記第１視聴停止時刻に基づいて、前記第１視点からの視野映像の視聴時間である第１視聴時間を決定するとともに、前記第２視聴開始時刻と前記第２視聴停止時刻に基づいて、前記第２視点からの視野映像の視聴時間である第２視聴時間を決定するように構成された視聴時間決定部と、
前記第１視点又は第２視点に対応する視野映像データを前記ユーザ端末に送信するように構成された第２送信部と、を備え、
少なくとも前記第２受信部が前記視点切替要求信号を受信した時点から前記第２送信部が前記第２視点に対応する視野映像データを送信する時点までの間、前記第１視点に対応する視野映像データを前記ユーザ端末に送信し続け、
前記第２受信部が前記視点切替要求信号を受信したときに、前記視聴停止時刻決定部は、前記第１視聴停止時刻を決定するとともに、前記視聴開始時刻決定部は、第２視聴開始時刻を決定する、コンテンツ管理サーバ。
【発明の詳細な説明】
【技術分野】
【０００１】
本発明は、映像コンテンツ配信システム及び映像コンテンツ配信システムに設けられたコンテンツ管理サーバに関する。
【背景技術】
【０００２】
インターネット等の通信ネットワークを介して映像コンテンツを配信する映像コンテンツ配信システムが知られている。特許文献１には、通信ネットワークを介して不特定多数のユーザに複数の映像コンテンツを配信するコンテンツ配信システムが開示されている。各ユーザは、複数のチャンネルのうちの一つを選択することで、選択したチャンネルに対応する映像コンテンツの視聴をすることができる。
【先行技術文献】
【特許文献】
【０００３】
【特許文献１】特許第５３７７４６６号公報
【発明の概要】
【発明が解決しようとする課題】
【０００４】
一方、特許文献１では、ユーザが複数の映像コンテンツのうちの一つを選択することで当該選択された映像コンテンツを視聴可能な映像コンテンツ配信システムが開示されている一方で、同一の映像コンテンツを複数の異なる視点で視聴可能な映像コンテンツ配信システムについては開示されていない。特に、ユーザがコンサート映像等の映像コンテンツを視聴する場合、異なる視点から同一の映像コンテンツを視聴したいといったニーズが少なからず存在する。
【０００５】
本発明は、ユーザが同一の映像コンテンツを異なる視点で視聴する場合に、映像コンテンツ配信サービスに対するユーザの満足度を向上させることが可能な映像コンテンツ配信システムを提供することを目的とする。また、当該映像コンテンツ配信システムに設けられたコンテンツ管理サーバを提供することを目的とする。
【課題を解決するための手段】
【０００６】
本発明の一態様に係る映像コンテンツ配信システムでは、コンテンツを視聴可能なユーザ端末とコンテンツ管理サーバとが通信ネットワークを介して互いに通信可能に接続されている。
前記ユーザ端末は、
視野映像データを前記コンテンツ管理サーバから受信するように構成された第１受信部と、
前記受信した視野映像データに基づいて、表示部に視野映像を表示するように構成された表示制御部と、
前記ユーザ端末に対するユーザからの入力操作に従って、前記表示部に表示された視野映像の視点を現在の視点である第１視点から第２視点に切り替えることを要求する視点切替要求信号を生成するように構成された視点切替要求信号生成部と、
前記生成された視点切替要求信号を前記コンテンツ管理サーバに送信するように構成された第１送信部と、を備え、
前記コンテンツ管理サーバは、
前記視点切替要求信号を前記ユーザ端末から受信するように構成された第２受信部と、
前記ユーザが前記第１視点からの視野映像の視聴を開始する第１視聴開始時刻と前記ユーザが前記第２視点からの視野映像の視聴を開始する第２視聴開始時刻とを決定するように構成された視聴開始時刻決定部と、
前記ユーザが前記第１視点からの視野映像の視聴を停止する第１視聴停止時刻と前記ユーザが前記第２視点からの視野映像の視聴を停止する第２視聴停止時刻とを決定するように構成された視聴停止時刻決定部と、
前記第１視聴開始時刻と前記第１視聴停止時刻に基づいて、前記第１視点からの視野映像の視聴時間である第１視聴時間を決定するとともに、前記第２視聴開始時刻と前記第２視聴停止時刻に基づいて、前記第２視点からの視野映像の視聴時間である第２視聴時間を決定するように構成された視聴時間決定部と、
前記第１視点又は第２視点に対応する視野映像データを前記ユーザ端末に送信するように構成された第２送信部と、を備え、
少なくとも前記第１送信部が前記視点切替要求信号を前記第２受信部に送信した時点から前記第１受信部が前記第２視点に対応する視野映像データを前記コンテンツ管理サーバから受信する時点までの間、または、少なくとも前記第２受信部が前記視点切替要求信号を受信した時点から前記第２送信部が前記第２視点に対応する視野映像データを送信する時点までの間、前記コンテンツ管理サーバは、前記第１視点に対応する視野映像データを前記ユーザ端末に送信し続け、
前記第２受信部が前記視点切替要求信号を受信したときに、前記視聴停止時刻決定部は、前記第１視聴停止時刻を決定するとともに、前記視聴開始時刻決定部は、第２視聴開始時刻を決定する。
【発明の効果】
【０００７】
本発明によれば、ユーザが同一の映像コンテンツを異なる視点で視聴する場合に、映像コンテンツ配信サービスに対するユーザの満足度を向上させることが可能な映像コンテンツ配信システムを提供することができる。
【図面の簡単な説明】
【０００８】
【図１】本発明の実施形態に係る映像コンテンツ配信システムの構成図である。
【図２】ユーザ端末のハードウェア構成の一例を示す図である。
【図３】第１実施形態（第２実施形態）におけるユーザ端末の制御部の機能ブロックを示す図である。
【図４】コンサート会場の客席のレイアウトの一例を示す図である。
【図５】コンテンツ管理サーバとコンテンツサーバのハードウェア構成の一例を示す図である。
【図６】第１実施形態におけるコンテンツ管理サーバの制御部の機能ブロックを示す図である。
【図７】コンテンツサーバの制御部の機能ブロックを示す図である。
【図８】第１実施形態に係る映像コンテンツ配信システムの一連のプロセスを示すシーケンス図である。
【図９】ユーザ視点情報管理テーブルの一例を示す図である。
【図１０】ユーザ課金情報管理テーブルの一例を示す図である。
【図１１】コンテンツ管理テーブルの一例を示す図である。
【図１２】第２実施形態におけるコンテンツ管理サーバの制御部の機能ブロックを示す図である。
【図１３】第２実施形態に係る映像コンテンツ配信システムの一連のプロセスを示すシーケンス図である。
【図１４】第３実施形態におけるユーザ端末の制御部の機能ブロックを示す図である。
【図１５】第３実施形態におけるコンテンツ管理サーバの制御部の機能ブロックを示す図である。
【図１６】第３実施形態に係る映像コンテンツ配信システムの一連のプロセスを示すシーケンス図である。
【発明を実施するための形態】
【０００９】
［本発明の実施形態の説明］
本発明の実施形態の概要を説明する。
（１）コンテンツを視聴可能なユーザ端末とコンテンツ管理サーバとが通信ネットワークを介して互いに通信可能に接続された映像コンテンツ配信システムであって、
前記ユーザ端末は、
視野映像データを前記コンテンツ管理サーバから受信するように構成された第１受信部と、
前記受信した視野映像データに基づいて、表示部に視野映像を表示するように構成された表示制御部と、
前記ユーザ端末に対するユーザからの入力操作に従って、前記表示部に表示された視野映像の視点を現在の視点である第１視点から第２視点に切り替えることを要求する視点切替要求信号を生成するように構成された視点切替要求信号生成部と、
前記生成された視点切替要求信号を前記コンテンツ管理サーバに送信するように構成された第１送信部と、を備え、
前記視点切替要求信号は、前記ユーザを特定するためのユーザＩＤ情報と、前記第２視点を示す視点情報とを含み、
前記コンテンツ管理サーバは、
前記視点切替要求信号を前記ユーザ端末から受信するように構成された第２受信部と、
前記ユーザが前記第１視点からの視野映像の視聴を開始する第１視聴開始時刻と前記ユーザが前記第２視点からの視野映像の視聴を開始する第２視聴開始時刻とを決定するように構成された視聴開始時刻決定部と、
前記ユーザが前記第１視点からの視野映像の視聴を停止する第１視聴停止時刻と前記ユーザが前記第２視点からの視野映像の視聴を停止する第２視聴停止時刻とを決定するように構成された視聴停止時刻決定部と、
前記第１視聴開始時刻と前記第１視聴停止時刻に基づいて、前記第１視点からの視野映像の視聴時間である第１視聴時間を決定するとともに、前記第２視聴開始時刻と前記第２視聴停止時刻に基づいて、前記第２視点からの視野映像の視聴時間である第２視聴時間を決定するように構成された視聴時間決定部と、
前記第１視点又は第２視点に対応する視野映像データを前記ユーザ端末に送信するように構成された第２送信部と、を備え、
少なくとも前記第１送信部が前記視点切替要求信号を前記第２受信部に送信した時点から前記第１受信部が前記第２視点に対応する視野映像データを前記コンテンツ管理サーバから受信する時点までの間、または、少なくとも前記第２受信部が前記視点切替要求信号を受信した時点から前記第２送信部が前記第２視点に対応する視野映像データを送信する時点までの間、前記コンテンツ管理サーバは、前記第１視点に対応する視野映像データを前記ユーザ端末に送信し続け、
前記第２受信部が前記視点切替要求信号を受信したときに、前記視聴停止時刻決定部は、前記第１視聴停止時刻を決定するとともに、前記視聴開始時刻決定部は、第２視聴開始時刻を決定する、映像コンテンツ配信システム。
【００１０】
上記構成によれば、少なくとも第１送信部が視点切替要求信号を第２受信部に送信した時点から第２視点に対応する視野映像データをコンテンツ管理サーバから受信する時点までの間、または、少なくとも第２受信部が視点切替要求信号を受信した時点から第２送信部が第２視点に対応する視野映像データを送信する時点までの間、第１視点に対応する視野映像データが前記ユーザ端末に送信され続ける。
このように、ユーザ端末に提供される視野映像に対して第１視点から第２視点への視点切替え操作を行うときに、第１視点の視野映像が第２視点の視野映像にシームレスに切り替わるため、ユーザはストレスを感じることなく異なる視点での視野映像の視聴を楽しむことができる。
従って、ユーザが同一の映像コンテンツを異なる視点で視聴する場合に、映像コンテンツ配信サービスに対するユーザの満足度を向上させることが可能な映像コンテンツ配信システムを提供することが可能となる。
さらに、第１視聴開始時刻と第１視聴停止時刻に基づいて、第１視点からの視野映像の視聴時間である第１視聴時間が決定されるとともに、第２視聴開始時刻と第２視聴停止時刻に基づいて、第２視点からの視野映像の視聴時間である第２視聴時間が決定される。このように、各視点に対する視野映像の視聴時間が決定されるので、ユーザごとの各視点の視野映像の視聴時間データを記録でき、当該視聴時間データを映像コンテンツ配信サービスに対するユーザの満足度向上のために利用することができる。
【００１１】
（２）前記コンテンツ管理サーバは、
前記第１視聴時間に基づいて、前記第１視点に対応するユーザ課金情報を更新するとともに、前記第２視聴時間に基づいて、前記第２視点に対応するユーザ課金情報を更新するように構成されたユーザ課金情報更新部をさらに備える、項目（１）に記載の映像コンテンツ配信システム。
【００１２】
上記構成によれば、第１視聴時間に基づいて第１視点に対応するユーザ課金情報が更新されるとともに、第２視聴時間に基づいて第２視点に対応するユーザ課金情報が更新される。このように、各視点の視野映像の視聴時間に応じた従量課金システムを提供することができるので、映像配信サービスに対するユーザの満足度や納得感を向上させることが可能となる。
【００１３】
（３）前記コンテンツ管理サーバは、
各視点に対応するユーザ課金情報に基づいて、前記視野映像の視聴により前記ユーザに課金すべき課金総額を決定するように構成されたユーザ課金総額演算部をさらに備える、項目（１）又は項目（２）に記載の映像コンテンツ配信システム。
【００１４】
上記構成によれば、各視点に対応するユーザ課金情報に基づいて、視野映像の視聴によりユーザに課金すべき課金総額が決定される。このように、各視点の視野映像の視聴時間に応じた従量課金システムを提供することができるので、映像コンテンツ配信サービスに対するユーザの満足度や納得感を向上させることが可能となる。
【００１５】
（４）前記コンテンツ管理サーバは、
前記第２送信部が前記第２視点に対応する視野映像データの前記ユーザ端末への送信を開始する送信開始時刻を決定するように構成された送信開始時刻決定部をさらに備え、
前記視聴停止時刻決定部は、前記視点切替要求信号を取得した取得時刻を前記第１視聴停止時刻として決定し、
前記視聴開始時刻決定部は、前記送信開始時刻決定部によって決定された送信開始時刻を前記第２視聴開始時刻として決定する、項目（１）から項目（３）のうちいずれか一項に記載の映像コンテンツ配信システム。
【００１６】
上記構成によれば、視聴停止時刻決定部がユーザＩＤ情報を取得した取得時刻が前記第１視聴停止時刻として決定されるとともに、第２送信部が第２視点に対応する視野映像データのユーザ端末への送信を開始する送信開始時刻が第２視聴開始時刻として決定される。このように、取得時刻と送信開始時刻との間の期間は、視野映像の視聴時間としてカウントされないので、映像配信サービスに対するユーザの満足度や納得感を向上させることが可能となる。
【００１７】
（５）前記コンテンツ管理サーバは、
前記第２送信部が前記第２視点に対応する視野映像データの前記ユーザ端末への送信を開始する送信開始時刻を決定するように構成された送信開始時刻決定部と、
前記コンテンツ管理サーバと前記ユーザ端末との間の通信遅延を予測するように構成された通信遅延予測部と、
前記決定された送信開始時刻と前記予測された通信遅延とに基づいて、前記第２視点に対応する前記視野映像データが前記ユーザ端末に到達した到達時刻を予測するように構成された到達時刻予測部と、をさらに備え、
前記視聴停止時刻決定部は、前記視点切替要求信号を取得した取得時刻を前記第１視聴停止時刻として決定し、
前記視聴開始時刻決定部は、前記到達時刻予測部によって予測された到達時刻を前記第２視聴開始時刻として決定する、項目（１）から項目（３）のうちいずれか一項に記載の映像コンテンツ配信システム。
【００１８】
上記構成によれば、視聴停止時刻決定部がユーザＩＤ情報を取得した取得時刻が第１視聴停止時刻として決定されるとともに、第２視点に対応する前記視野映像データがユーザ端末に到達した到達時刻が第２視聴開始時刻として決定される。このように、取得時刻と到達時刻との間の期間は、視野映像の視聴時間としてカウントされないので、映像配信サービスに対するユーザの満足度や納得感を向上させることが可能となる。
【００１９】
（６）前記ユーザ端末は、
前記第１送信部が前記視点切替要求信号の前記コンテンツ管理サーバへの送信を開始した送信開始時刻を示す第１タイムスタンプと、前記表示制御部が前記第２視点からの視野映像の前記表示部への表示を開始した表示開始時刻を示す第２タイムスタンプとを生成するように構成されたタイムスタンプ生成部をさらに備え、
前記第２受信部が前記第１，２タイムスタンプを前記ユーザ端末から受信したときに、
前記視聴停止時刻決定部は、前記受信した第１タイムスタンプに示された前記送信開始時刻を前記第１視聴停止時刻として決定し、
前記視聴開始時刻決定部は、前記受信した第２タイムスタンプに示された前記表示開始時刻を前記第２視聴開始時刻として決定する、項目（１）から項目（３）のうちいずれか一項に記載の映像コンテンツ配信システム。
【００２０】
上記構成によれば、第１タイムスタンプに示された第１送信部が視点切替要求信号のコンテンツ管理サーバへの送信を開始した送信開始時刻が第１視聴停止時刻として決定されるとともに、第２タイムスタンプに示された表示制御部が第２視点からの視野映像の表示部への表示を開始した表示開始時刻が第２視聴開始時刻として決定される。このように、送信開始時刻と表示開始時刻との間の期間は、視野映像の視聴時間としてカウントされないので、映像配信サービスに対するユーザの満足度や納得感を向上させることが可能となる。
【００２１】
（７）コンテンツを視聴可能なユーザ端末と通信ネットワークを介して通信可能に接続されたコンテンツ管理サーバであって、
前記コンテンツ管理サーバは、
ユーザ端末から視点切替要求信号を受信するように構成された第２受信部と、
前記ユーザが前記第１視点からの視野映像の視聴を開始する第１視聴開始時刻と前記ユーザが前記第２視点からの視野映像の視聴を開始する第２視聴開始時刻とを決定するように構成された視聴開始時刻決定部と、
前記ユーザが前記第１視点からの視野映像の視聴を停止する第１視聴停止時刻と前記ユーザが前記第２視点からの視野映像の視聴を停止する第２視聴停止時刻とを決定するように構成された視聴停止時刻決定部と、
前記第１視聴開始時刻と前記第１視聴停止時刻に基づいて、前記第１視点からの視野映像の視聴時間である第１視聴時間を決定するとともに、前記第２視聴開始時刻と前記第２視聴停止時刻に基づいて、前記第２視点からの視野映像の視聴時間である第２視聴時間を決定するように構成された視聴時間決定部と、
前記第１視点又は第２視点に対応する視野映像データを前記ユーザ端末に送信するように構成された第２送信部と、を備え、
少なくとも前記第２受信部が前記視点切替要求信号を受信した時点から前記第２送信部が前記第２視点に対応する視野映像データを送信する時点までの間、前記第１視点に対応する視野映像データを前記ユーザ端末に送信し続け、
前記第２受信部が前記視点切替要求信号を受信したときに、前記視聴停止時刻決定部は、前記第１視聴停止時刻を決定するとともに、前記視聴開始時刻決定部は、第２視聴開始時刻を決定する、コンテンツ管理サーバ。
【００２２】
上記構成によれば、少なくとも第２受信部が視点切替要求信号を受信した時点から第２送信部が第２視点に対応する視野映像データを送信する時点までの間、第１視点に対応する視野映像データが前記ユーザ端末に送信され続ける。
このように、ユーザ端末に提供される視野映像に対して第１視点から第２視点への視点切替え操作を行うときに、第１視点の視野映像が第２視点の視野映像にシームレスに切り替わるため、ユーザはストレスを感じることなく異なる視点での視野映像の視聴を楽しむことができる。
従って、ユーザが同一の映像コンテンツを異なる視点で視聴する場合に、映像コンテンツ配信サービスに対するユーザの満足度を向上させることが可能なコンテンツ管理サーバを提供することが可能となる。
さらに、第１視聴開始時刻と第１視聴停止時刻に基づいて、第１視点からの視野映像の視聴時間である第１視聴時間が決定されるとともに、第２視聴開始時刻と第２視聴停止時刻に基づいて、第２視点からの視野映像の視聴時間である第２視聴時間が決定される。このように、各視点に対する視野映像の視聴時間が決定されるので、ユーザごとの各視点の視野映像の視聴時間データを記録でき、当該視聴時間データを映像コンテンツ配信サービスに対するユーザの満足度向上のために利用することができる。
【００２３】
［本発明の実施形態の詳細］
以下、本発明の実施形態について図面を参照しながら説明する。尚、本実施形態の説明において既に説明された部材と同一の参照番号を有する部材については、説明の便宜上、その説明は省略する。
【００２４】
（第１実施形態）
図１は、本発明の実施形態（以下、単に本実施形態という。）に係る映像コンテンツ配信システム１００を示す構成図である。図１に示すように、映像コンテンツ配信システム１００は、映像コンテンツを視聴可能な複数のユーザ端末２Ｘ，２Ｙと、コンテンツ管理サーバ３と、複数のコンテンツサーバ５Ｓ，５Ａ，５Ｂ，５Ｃ，５Ｄとを備える。ユーザ端末２Ｘ，２Ｙと、コンテンツ管理サーバ３と、複数のコンテンツサーバ５Ｓ，５Ａ，５Ｂ，５Ｃ，５Ｄは、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又インターネット等の通信ネットワーク１を介して互いに通信可能に接続されている。尚、以降の説明では、説明の便宜上、ユーザ端末２Ｘ，２Ｙを単にユーザ端末２といい、コンテンツサーバ５Ｓ，５Ａ，５Ｂ，５Ｃ，５Ｄを単にコンテンツサーバ５という。また、ユーザ端末２Ｘ，２Ｙは同一の構成を有しており、コンテンツサーバ５Ｓ，５Ａ，５Ｂ，５Ｃ，５Ｄも同一の構成を有しているものとする。
【００２５】
次に、図２を参照してユーザ端末２のハードウェア構成について説明する。図２に示すように、ユーザ端末２は、制御装置２１と、入力操作部２８と、表示部２７と、センサ２９とを備える。制御装置２１は、通信バス２０と、制御部２２と、記憶部２３と、Ｉ／Ｏ（Ｉｎｐｕｔ／Ｏｕｔｐｕｔ）インターフェース２４と、タイムクロック２５と、通信インターフェース２６とを備える。制御部２２と、記憶部２３と、Ｉ／Ｏインターフェース２４と、タイムクロック２５と、通信インターフェース２６は、通信バス２０により互いに通信可能に接続されている。制御装置２１は、例えば、パーソナルコンピュータ、スマートフォン、タブレットまたはウェアラブルデバイスである。
【００２６】
制御部２２は、メモリとプロセッサを備えている。メモリは、例えば、各種プログラムが格納されたＲＯＭ（Ｒｅａｄ  Ｏｎｌｙ  Ｍｅｍｏｒｙ）及びプロセッサにより実行される各種プログラムやデータが格納される複数のワークエリアを有するＲＡＭ（Ｒａｎｄｏｍ  Ａｃｃｅｓｓ  Ｍｅｍｏｒｙ）等から構成される。ＲＡＭは、表示部２７に表示される映像に対応する映像データを格納するＶＲＡＭを含む。プロセッサは、ＣＰＵ（ｃｅｎｔｒａｌ  ｐｒｏｃｅｓｓｉｎｇ  ｕｎｉｔ）、ＭＰＵ（Ｍｉｃｒｏ−Ｐｒｏｃｅｓｓｉｎｇ  Ｕｎｉｔ）及び／又はＧＰＵ（Ｇｒａｐｈｉｃｓ  Ｐｒｏｃｅｓｓｉｎｇ  Ｕｎｉｔ）から構成される。
【００２７】
記憶部（ストレージ）２３は、各種プログラムや映像データ等を格納するように構成されており、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、フラッシュメモリ等により構成されている。Ｉ／Ｏインターフェース２４は、入力操作部２８と、表示部２７と、センサ２９をそれぞれ制御装置２１に通信可能に接続するように構成されており、例えば、ＵＳＢ（Ｕｎｉｖｅｒｓａｌ  Ｓｅｒｉａｌ  Ｂｕｓ）端子、ＨＤＭＩ（登録商標）（Ｈｉｇｈ―Ｄｅｆｉｎｉｔｉｏｎ  Ｍｕｌｔｉｍｅｄｉａ  Ｉｎｔｅｒｆａｃｅ）等により構成されている。
【００２８】
タイムクロック２５は、現在時刻をカウントするように構成されており、例えば、リアルタイムクロック（ＲＴＣ）である。タイムクロック２５は、ＮＴＰ（Ｎｅｔｗｏｒｋ  Ｔｉｍｅ  Ｐｒｏｔｏｃｏｌ）を用いてネットワーク上の装置（例えば、コンテンツ管理サーバ）と時刻同期を行ってもよい。通信インターフェース２６は、ユーザ端末２を通信ネットワーク１に接続させるように構成されている。
【００２９】
入力操作部２８は、ユーザ端末２に対するユーザからの入力操作を受付けると共に、当該入力操作に応じて、ユーザの入力操作を示す操作信号を出力するように構成されている。入力操作部２８は、例えば、タッチパネル、外部コントローラ、マウス、キーボード等である。表示部２７は、視野映像データに対応する視野映像を表示するように構成されており、例えば、ユーザに３次元映像を提供するヘッドマウンドディスプレイ（ＨＭＤ：Ｈｅａｄ  Ｍｏｕｎｔｅｄ  Ｄｉｓｐｌａｙ）である。ＨＭＤには、ユーザの左目に提供される左目用映像と、ユーザの右目に提供される右目用映像が表示されるため、両目の視差を利用した３次元映像をバーチャルリアリティ（ＶＲ）映像としてユーザに提供することができる。また、表示部２７は、パーソナルコンピュータ、スマートフォン又はタブレット用のディスプレイであってもよい。
【００３０】
センサ２９は、ＨＭＤのＸＹＺ方向への移動、および、ＸＹＺ軸周りの回転を検知することにより、ＨＭＤを装着しているユーザの動きを検出する。これにより、ユーザの頭の動きによる視線の変化が検出される。センサ２９は、ＨＭＤに設けられた地磁気センサ、加速度センサ及び／又はジャイロセンサにより構成されていてもよいし、ＨＭＤに複数の発光点を設け、外部カメラにより当該発光点を検知することによって構成されても良い。
【００３１】
次に、図３を参照してユーザ端末２の制御部２２の機能ブロック図について説明する。図３は、ユーザ端末２の制御部２２の機能ブロックを示す図である。図３に示すように、制御部２２は、受信部２２１（第１受信部）と、表示制御部２２３と、視線変更信号生成部２２２と、視点切替要求信号生成部２２４と、送信部２２５（第１送信部）とを備える。
【００３２】
受信部２２１は、通信インターフェース２６を介して視野映像データをコンテンツ管理サーバ３から受信するように構成される。受信部２２１は、視野映像データを例えばストリーミング形式により受信してもよい。また、受信部２２１は、視野映像データを含む３６０度空間映像データをコンテンツ管理サーバ３から受信してもよい。この場合、制御部２２は、受信した３６０度空間映像データとユーザの視線方向に関する視線情報から視野映像データを生成してもよい。表示制御部２２３は、受信した視野映像データに基づいて、表示部２７に視野映像を表示するように構成されている。ここで、視野映像とは、ユーザの視点を中心とした３６０度空間映像のうちユーザの視野内に表示されるバーチャルリアリティ（ＶＲ）映像である。つまり、視野映像とは、ユーザの視点を中心とした３６０度空間映像の一部であって、ユーザの視野によって規定される。また、ユーザの視野は、ユーザの視線方向によって規定される。つまり、ユーザの視線方向が決定されると、ユーザの視野が決定されて、視野映像が決定される。同様に、ユーザの視線方向が変更されると、ユーザの視野が変更されるので、視野映像が変更される。また、視野映像の種類としては、例えば、コンサート映像や、サッカー、野球、相撲、格闘技等のスポーツ映像や、歌舞伎、能楽、ミュージカル等の舞台映像が挙げられる。
【００３３】
視線変更信号生成部２２２は、センサ２９によって出力されたユーザの視線方向の変化を示す信号に従って、視線変更信号を生成するように構成されている。視線変更信号は、変更された視線方向に関する視線情報を含む。
【００３４】
視点切替要求信号生成部２２４は、ユーザ端末２に対するユーザからの入力操作に従って、表示部２７に表示された視野映像の視点を現在の視点から次の視点に切り替えることを要求する視点切替要求信号を生成するように構成されている。具体的には、視点切替要求信号生成部２２４は、入力操作部２８から出力されたユーザの入力操作を示す操作信号に基づいて、切替後の視点を示す視点情報を生成すると共に、ユーザ端末２を使用しているユーザのユーザＩＤ情報と、ユーザ端末２のアドレス情報を記憶部２３から読み出す。このように、視点切替要求信号は、視点情報と、ユーザＩＤ情報と、ユーザ端末２のアドレス情報を含む。ここで、視野映像の視点とは、図４に示すように、例えば、コンサート会場におけるＳ席エリア，Ａ席エリア，Ｂ席エリア，Ｃ席エリア，Ｄ席エリアからの視点に相当する。ここで、Ｓ席エリアの視点は、アーティストが演奏するステージ上における視点である。例えば、視点切替要求信号生成部２２４は、表示部２７に表示された視野映像の視点を現在の視点であるＡ席エリアの視点から次の視点であるＳ席エリアの視点に切り替えることを要求する視点切替要求信号を生成する。また、ユーザのＩＤ情報とは、例えば、映像コンテンツ配信サービスを利用するためのユーザの会員ＩＤである。ユーザ端末２のアドレス情報とは、例えば、ユーザ端末２のＩＰアドレスである。また、視点切替要求信号生成部２２４は、表示部２７に表示された視野映像の視点を同一席エリア（例えば、Ｓ席エリア）のある視点から同一席エリア（同一Ｓ席エリア）の別の視点に切り替えることを要求する視点切替要求信号を生成してもよい。
【００３５】
送信部２２５は、視点切替要求信号生成部２２４によって生成された視点切替要求信号と視線変更信号生成部２２５によって生成された視線変更信号を通信インターフェース２６を介してコンテンツ管理サーバ３に送信するように構成されている。尚、ユーザ端末２が３６０度空間映像データをコンテンツ管理サーバ３から受信する場合には、当該視線変更信号はコンテンツ管理サーバ３には送信されない。
【００３６】
次に、図５を参照してコンテンツ管理サーバ３とコンテンツサーバ５のハードウェア構成についてそれぞれ説明する。図５は、コンテンツ管理サーバ３とコンテンツサーバ５のハードウェア構成の一例を示す図である。図５に示すように、コンテンツ管理サーバ３は、通信バス３０と、制御部３２と、タイムクロック３５と、通信インターフェース３６とを備える。制御部３２と、記憶部３３と、タイムクロック３５と、通信インターフェース３６は、通信バス３０を介して互いに通信可能に接続されている。制御部３２は、メモリとプロセッサを備えており、メモリは、例えば、ＲＯＭ及びＲＡＭ等から構成されるとともに、プロセッサは、例えば、ＣＰＵ、ＭＰＵ及び／又はＧＰＵにより構成される。
【００３７】
記憶部（ストレージ）３３は、各種プログラムや映像データ等を格納するように構成されており、ＨＤＤ、ＳＳＤ又はフラッシュメモリ等により構成されている。タイムクロック３５は、既に説明したタイムクロック２５と同一の構成を有しており、ＮＴＰを用いてユーザ端末等の時刻と時刻同期を行ってもよい。通信インターフェース３６は、コンテンツ管理サーバ３を通信ネットワーク１に接続させるように構成されている。
【００３８】
コンテンツサーバ５は、通信バス５０と、制御部５２と、記憶部５３と、通信インターフェース５６とを備える。制御部５２と、記憶部５３と、通信インターフェース５６は、通信バス５０を介して互いに通信可能に接続されている。制御部５２は、メモリとプロセッサを備えており、メモリは、例えば、ＲＯＭ及びＲＡＭ等から構成されるとともに、プロセッサは、例えば、ＣＰＵ、ＭＰＵ及び／又はＧＰＵにより構成される。
【００３９】
記憶部（ストレージ）５３は、例えば大容量のＨＤＤにより構成されており、視点に対応する３６０度空間映像データを保存するように構成されている。例えば、コンテンツサーバ５Ｓの記憶部３３は、Ｓ席エリアの視点に対応する３６０度空間映像データを保存するように構成されている。コンテンツサーバ５Ａの記憶部３３は、Ａ席エリアの視点に対応する３６０度空間映像データを保存するように構成されている。コンテンツサーバ５Ｂの記憶部３３は、Ｂ席エリアの視点に対応する３６０度空間映像データを保存するように構成されている。コンテンツサーバ５Ｃの記憶部３３は、Ｃ席エリアの視点に対応する３６０度空間映像データを保存するように構成されている。コンテンツサーバ５Ｄの記憶部３３は、Ｄ席エリアの視点に対応する３６０度空間映像データを保存するように構成されている。各席エリアの３６０度空間映像データは、コンサート会場に設置された３６０度カメラによって撮像されてもよい。例えば、Ｓ席エリアの３６０度空間映像は、Ｓ席エリア（アーティストが演奏するステージ）に設置された３６０度カメラによって撮像される。その後、３６０度カメラによって撮像された３６０度空間映像データがコンテンツサーバ５Ｓの記憶部３３に保存される。また、本実施形態では、ユーザが同一の映像コンテンツを複数の異なる視点で視聴するための映像コンテンツ配信システム１００を前提としているため、各コンテンツサーバ５Ｓ，５Ａ，５Ｂ，５Ｃ，５Ｄに保存される３６０度空間映像データは、同一の映像コンテンツ（例えば、同一のコンサート映像）を対象としている。
【００４０】
尚、本実施形態では、複数のコンテンツサーバ５（５Ｓ，５Ａ，５Ｂ，５Ｃ，５Ｄ）が各視点に対応する３６０度空間映像データを保存しているが、一つのコンテンツサーバ５が複数の視点ごとの複数の３６０度空間映像データを保存してもよい。また、通信インターフェース５６は、コンテンツサーバ５を通信ネットワーク１に接続させるように構成されている。
【００４１】
次に、第１実施形態に係るコンテンツ管理サーバ３の制御部３２の機能ブロック図について図６を参照して説明する。図６は、第１実施形態に係るコンテンツ管理サーバ３の制御部３２の機能ブロックを示す図である。図６に示すように、制御部３２は、受信部３２１（第２受信部）と、情報取得部３２２と、視聴停止時刻決定部３２６と、視聴開始時刻決定部３２７と、視聴時間決定部３２８と、送信開始時刻決定部３２９と、ユーザ課金情報管理テーブル更新部３３１（ユーザ課金情報更新部）と、ユーザ課金総額演算部３３０と、ユーザ視点情報管理テーブル更新部３２４と、視野映像データ要求信号生成部３２３と、送信部３２５（第２送信部）とを備える。
【００４２】
受信部３２１は、通信インターフェース３６を介して視点切替要求信号及び視線変更信号をユーザ端末２から受信するように構成されている。また、受信部３２１は、通信インターフェース３６を介して視野映像データをコンテンツサーバ５から受信するように構成されている。情報取得部３２２は、受信部３２１によって受信された視点切替要求信号から、ユーザＩＤ情報と、ユーザの視点情報と、ユーザ端末２のアドレス情報を取得するように構成されている。また、情報取得部３２２は、受信部３２１によって受信された視線変更信号に基づいて、変更された視線方向に関する視線情報を取得するように構成されている。
【００４３】
視聴停止時刻決定部３２６は、ユーザが現在の視点（例えば、Ａ席エリアの視点）からの視野映像の視聴を停止する視聴停止時刻を決定するように構成されている。視聴開始時刻決定部３２７は、ユーザが現在の視点（例えば、Ａ席エリアの視点）からの視野映像の視聴を開始する視聴開始時刻を決定するように構成されている。視聴時間決定部３２８は、視聴開始時刻決定部３２７によって決定された視聴開始時刻と視聴停止時刻決定部３２６によって決定された視聴停止時刻に基づいて、現在の視点（例えば、Ａ席エリアの視点）からの視野映像の視聴時間を決定するように構成されている。
【００４４】
送信開始時刻決定部３２９は、送信部３２５が切替後の視点（例えば、Ｓ席エリアの視点）に対応する視野映像データのユーザ端末２への送信を開始する送信開始時刻を決定するように構成される。ユーザ課金情報管理テーブル更新部３３１は、記憶部３３に保存されたユーザ課金情報管理テーブル（図１０参照）の内容を更新するように構成されている。特に、ユーザ課金情報管理テーブル更新部３３１は、視聴時間決定部３２８によって決定された現在の視点からの視野映像の視聴時間に基づいて、現在の視点に対する累計視聴時間（ユーザ課金情報の一例）を更新するように構成されている。
【００４５】
ユーザ課金総額演算部３３０は、図１０に示す各視点（Ｓ席エリアからＤ席エリア）に対応する累計視聴時間（ユーザ課金情報の一例）に基づいて、視野映像の視聴によりユーザに課金すべき課金総額を決定するように構成される。
【００４６】
図１０に示すように、ユーザ課金情報管理テーブルは、各視点（各席エリア）に対応する単位時間当たりの料金に関する情報と、各視点に対応する累計視聴時間に関する情報と、各視点に対応する課金額と、視野映像の視聴により各ユーザ（各ユーザＩＤ）に課金すべき課金総額と、を含む。図１０に示すユーザ課金情報管理テーブルの一例では、Ｓ席エリアの視点からの視野映像の視聴により課金される課金額は、１０００円／時間×２０分／６０分＝３３３円となる。また、各ユーザＩＤに課金すべき課金総額は、各視点に対応する課金額を合計することで算出される。図１０に示す例では、３３３円（Ｓ席）＋１３３円（Ａ席）＋５８円（Ｂ席）＋４２円（Ｃ席）＋１００円（Ｄ席）＝６６７円となる。
【００４７】
ユーザ視点情報管理テーブル更新部３２４は、記憶部３３に保存されたユーザ視点情報管理テーブル（図９参照）の内容を更新するように構成されている。特に、ユーザ視点情報管理テーブル更新部３２４は、送信開始時刻決定部３２９によって決定された送信開始時刻と、情報取得部３２２によって取得されたユーザの視点情報とに基づいて、ユーザ視点情報管理テーブルに含まれる各ユーザに対応する視点（例えば、Ｓ席エリア）と当該視点の送信開始時刻（例えば、００：０３）を追加する。例えば、ユーザの視点がＡ席エリアの視点からＳ席エリアの視点に変更される場合、Ｓ席エリアの視点と当該視点の送信開始時刻がユーザ視点情報管理テーブルに新たに書き込まれる。
【００４８】
視野映像データ要求信号生成部３２３は、視野映像データを要求する視野映像データ要求信号を生成するように構成されている。特に、視野映像データ要求信号生成部３２３は、記憶部３３に保存されたユーザ視点情報管理テーブル（図９参照）を参照することで、切替後の視点を読み出す。さらに、視野映像データ要求信号生成部３２３は、例えば、ユーザ視点情報管理テーブルに書き込まれた情報に基づいて、切替後の視点の視野画像の再生開始時刻を算出してもよい。さらに、視野映像データ要求信号生成部３２３は、記憶部３３に保存されたコンテンツ管理テーブル（図１１参照）から切替後の視点に対応するコンテンツサーバ５のアドレス情報（例えば、ＩＰアドレス等）を取得してもよい。このように、視野映像データ要求信号は、切替後の視点のアドレス情報と切替後の視点の視野映像の再生開始時刻に関する情報を含んでもよい。さらに、視野映像データ要求信号は、情報取得部３２２によって取得された変更された視線方向に関する視線情報を含んでもよい。尚、視野映像データ要求信号は、変更された視線方向に関する視線情報に代わりに、初期視線方向（例えば、ステージの中心を向いた方向）に関する視線情報を含んでもよい。
【００４９】
送信部３２５は、視野映像データ要求信号生成部３２３によって生成された視野映像データ要求信号を通信インターフェース３６及び通信ネットワーク１を介して所望のコンテンツサーバ５に送信するように構成されている。特に、送信部３２５は、視野映像データ要求信号に含まれた切替後の視点のアドレス情報を参照することで、当該視野映像データ要求信号を送信してもよい。また、送信部３２５は、コンテンツサーバ５から取得された視野映像データをユーザ端末２に送信してもよい。さらに、送信部３２５は、コンテンツサーバ５から取得された、視野映像データを含む３６０度空間映像データをユーザ端末２に送信してもよい。この場合は、ユーザ端末２が３６０度空間映像データから視野映像データを生成する。
【００５０】
次に、図７を参照してコンテンツサーバ５の制御部５２の機能ブロックについて説明する。図７は、コンテンツサーバ５の制御部５２の機能ブロックを示す図である。図７に示すように、制御部５２は、受信部５２１と、視野映像データ生成部５２２と、送信部５２３とを備える。受信部５２１は、コンテンツ管理サーバ３から送信された視野映像データ要求信号を受信するように構成されている。視野映像データ生成部５２２は、記憶部５３から３６０度空間映像データを読み出した後、当該３６０度空間映像データと視野映像データ要求信号に基づいて、視野映像データを生成するように構成されている。例えば、コンテンツサーバ５がコンテンツサーバ５Ｓの場合、視野映像データ生成部５２２は、記憶部５３からＳ席エリアの視点に対応する３６０度空間映像データを読み出した後、当該３６０度空間映像データと視野映像データ要求信号に基づいて、Ｓ席エリアの視点に対応する視野映像データを生成する。
【００５１】
送信部５２３は、通信インターフェース５６を介して、視野映像データ生成部５２２によって生成された視野映像データをコンテンツ管理サーバ３に送信するように構成されている。尚、送信部５２３は、視野映像データを含む３６０度空間映像データをコンテンツ管理サーバ３に送信してもよい。この場合、３６０度空間映像データがコンテンツ管理サーバ３からユーザ端末２に送信されて、ユーザ端末２が３６０度空間映像データから視野映像データを生成する。
【００５２】
次に、図８を参照して第１実施形態に係る映像コンテンツ配信システム１００の一連のプロセスについて説明する。図８は、第１実施形態に係る映像コンテンツ配信システム１００の一連のプロセスを示すシーケンス図である。図８に示すように、ユーザＸが使用しているユーザ端末２Ｘとコンテンツ管理サーバ３との間の情報のやり取りについて主に説明することで、映像コンテンツ配信システム１００の課金方法を説明する。また、ユーザＹが使用しているユーザ端末２Ｙとコンテンツ管理サーバ３との間の情報のやり取りも、ユーザ端末２Ｘとコンテンツ管理サーバ３との間の情報のやり取りと同様である。
【００５３】
最初に、ステップＳ１において、ユーザＸが入力操作部２８を通じて切替前の視点であるＡ席エリアの視点（第１視点）から切替後の視点であるＳ席エリアの視点（第２視点）に切り替えるための所定の操作を行う。つまり、入力操作部２８は、Ａ席エリアの視点からＳ席エリアの視点への切替え要求を示す操作信号を視点切替要求信号生成部２２４に送信する。視点切替要求信号生成部２２４は、入力操作部２８から送信された操作信号に従って、表示部２７に表示された視野映像の視点をＡ席エリアの視点からＳ席エリアの視点に切り替えることを要求する視点切替要求信号を生成する。具体的には、視点切替要求信号生成部２２４は、入力操作部２８から送信された操作信号に基づいて、Ｓ席エリアの視点を示す視点情報を生成すると共に、ユーザＸのユーザＩＤ情報と、ユーザ端末２Ｘのアドレス情報を記憶部２３から読み出す。このように、視点切替要求信号は、Ｓ席エリアの視点を示す視点情報と、ユーザＸのユーザＩＤ情報と、ユーザ端末２ＸのＩＰアドレス情報を含む。
【００５４】
次に、送信部２２５は、通信インターフェース２６を介して、生成された視点切替要求信号をコンテンツ管理サーバ３に送信する。図８に示すように、ユーザ端末２Ｘが視点切替要求信号を送信した時刻をｔ０＝００：０１とする。
【００５５】
次に、ステップＳ２において、視聴停止時刻決定部３２６は、タイムクロック３５が示す現在時刻と情報取得部３２２により取得された情報を参照することで、ユーザＸがＡ席エリアの視点（第１視点）からの視野映像の視聴を停止するＡ席視聴停止時刻（第１視聴停止時刻）を決定する。具体的には、視聴停止時刻決定部３２６は、視点切替要求信号（具体的には、視点切替要求信号に含まれる情報）を取得した取得時刻をＡ席視聴停止時刻として決定する。図８に示すように、視聴停止時刻をｔ１＝００：０２とする。
【００５６】
また、ステップＳ１の前に、視聴開始時刻決定部３２７は、ユーザＸがＡ席エリアの視点（第１視点）からの視野映像の視聴を開始するＡ席視聴開始時刻（第１視聴開始時刻）を決定している。また、受信部３２１が、Ａ席エリアのある視点からＡ席エリアの別の視点に切り替えることを要求する視点切替要求信号を受信したとき（つまり、同一席エリア内での視点の切替えを要求する視点切替要求信号を受信したとき）、視聴停止時刻決定部３２６は動作しなくてもよい（つまり、Ａ席視聴停止時刻を決定しなくてもよい）。かかる場合では、視点が同一席エリア内で変更されるので、視聴開始時刻決定部３２７も動作しなくてもよい。
【００５７】
このように、表示部２７に表示された視野映像の視点を所定の席エリアに属する第１視点から当該所定の席エリアとは異なる席エリアに属する第２視点に切り替えることを要求する視点切替要求信号を受信部３２１が受信したとき（または、送信部２２５が当該視点切替要求信号を送信したとき）、視聴停止時刻決定部３２６は、当該第１視点からの視野映像の視聴を停止する第１視聴停止時刻を決定するとともに、視聴開始時刻決定部３２７は、当該第２視点からの視野映像の視聴を開始する第２視聴開始時刻を決定する。
【００５８】
次に、ステップＳ３において、送信開始時刻決定部３２９は、タイムクロック３５が示す現在時刻と情報取得部３２２により取得された情報を参照することで、送信部３２５がＳ席エリアの視点に対応する視野映像データのユーザ端末２Ｘへの送信を開始する送信開始時刻を決定する。ここで、送信開始時刻をｔ２＝００：０３とする。
【００５９】
次に、ステップＳ４において、ユーザ視点情報管理テーブル更新部３２４は、記憶部３３に保存されたユーザ視点情報管理テーブル（図９参照）の内容を更新する。特に、ユーザ視点情報管理テーブル更新部３２４は、送信開始時刻決定部３２９によって決定された送信開始時刻ｔ２＝００：０３と、情報取得部３２２によって取得されたユーザＸのユーザＩＤ情報と、情報取得部３２２によって取得されたＳ席エリアの視点を示す視点情報とをユーザ視点情報管理テーブルに書き込む。
【００６０】
次に、ステップＳ５において、コンテンツ管理サーバ３は、Ｓ席エリアの視点に対応する３６０度空間映像データを保存しているコンテンツサーバ５ＳからＳ席エリアの視点に対応する視野映像データを取得する。具体的には、視野映像データ要求信号生成部３２３は、視野映像データを要求する視野映像データ要求信号を生成する。特に、視野映像データ要求信号生成部３２３は、記憶部３３に保存されたユーザ視点情報管理テーブル（図９参照）を参照することで、Ｓ席エリアの視点を読み出す。さらに、視野映像データ要求信号生成部３２３は、ユーザ視点情報管理テーブルに書き込まれた情報に基づいて、Ｓ席エリアの視点からの視野画像の再生開始時刻を算出すると共に、記憶部３３に保存されたコンテンツ管理テーブル（図１１参照）からコンテンツサーバ５Ｓのアドレス情報を取得する。このように、視野映像データ要求信号は、コンテンツサーバ５Ｓのアドレス情報とＳ席エリアの視点からの視野映像の再生開始時刻に関する情報を含んでもよい。また、視野映像の視点を切り替える場合、視野映像データ要求信号は、初期視線方向（例えば、ステージの中心を向いた方向）に関する視線情報を含んでもよい。
【００６１】
次に、送信部３２５は、コンテンツサーバ５Ｓのアドレス情報を参照することで、視野映像データ要求信号生成部３２３によって生成された視野映像データ要求信号を通信インターフェース３６及び通信ネットワーク１を介してコンテンツサーバ５Ｓに送信する。その後、コンテンツサーバ５Ｓは、視野映像データ要求信号を受信した後、当該視野映像データ要求信号に基づいてＳ席エリアの視点に対応する視野映像データを生成する。その後、コンテンツサーバ５Ｓは、当該視野映像データをコンテンツ管理サーバ３に送信する。具体的には、コンテンツサーバ５Ｓの受信部５２１が視野映像データ要求信号を受信した後、視野映像データ生成部５２２は、記憶部５３からＳ席エリアの視点に対応する３６０度空間映像データを読み出した後、当該３６０度空間映像データと視野映像データ要求信号に基づいて、Ｓ席エリアの視点に対応する視野映像データを生成する。その後、送信部５２３は、通信インターフェース５６を介して生成された視野映像データをコンテンツ管理サーバ３に送信する。このように、コンテンツ管理サーバ３は、Ｓ席エリアの視点に対応する３６０度空間映像データをコンテンツサーバ５Ｓから取得する。
【００６２】
次に、ステップＳ６において、コンテンツ管理サーバ３は、Ｓ席エリアの視点に対応する視野映像データをユーザ端末２Ｘに送信する。具体的には、送信部３２５は、ユーザ視点情報管理テーブルに格納された送信開始時刻（ｔ２＝００：０３）と情報取得部３２２によって取得されたユーザ端末２Ｘのアドレス情報を参照することで、記憶部３３に保存されたＳ席エリアの視点に対応する視野映像データをストリーミング形式でユーザ端末２Ｘに送信する。尚、本実施形態では、コンテンツ管理サーバ３は、視野映像データをユーザ端末２Ｘに送信しているが、視野映像データを含む３６０度空間映像データをユーザ端末２Ｘに送信してもよい。
【００６３】
一方、ユーザ端末２Ｘの送信部２２５が視点切替要求信号をコンテンツ管理サーバ３の受信部３２１に送信した時点（ｔ０＝００：０１）から、ユーザ端末２Ｘの受信部２２１がＳ席エリアの視点（第２視点）に対応する視野映像データをコンテンツ管理サーバ３から受信する時点までの間、コンテンツ管理サーバ３（送信部３２５）は、記憶部３３に保存された切替前の視点であるＡ席エリアの視点（第１視点）に対応する視野映像データをストリーミング形式でユーザ端末２Ｘに送信し続ける。または、コンテンツ管理サーバ３の受信部３２１が視点切替要求信号をユーザ端末２Ｘから受信した時点からコンテンツ管理サーバ３の送信部３２５がＳ席エリアの視点（第２視点）に対応する視野映像データをユーザ端末２Ｘに送信する時点までの間、コンテンツ管理サーバ３（送信部３２５）は、記憶部３３に保存された切替前の視点であるＡ席エリアの視点（第１視点）に対応する視野映像データをストリーミング形式でユーザ端末２Ｘに送信し続ける。
【００６４】
従って、ステップＳ７に示すように、ユーザＸは、上記期間の間、Ａ席エリアの視点からの視野映像を視聴し続けることができる。さらに、ユーザ端末２ＸがＳ席エリアの視点に対応する視野映像データを受信した時点から所定時間経過後（ｔ３＝００：０４）に、表示制御部２２３は、Ｓ席エリアの視点に対応する視野映像データに基づいて、表示部２７にＳ席エリアの視点からの視野映像を表示する（ステップＳ８）。このように、ユーザＸは、ｔ３＝００：０４からＳ席エリアの視点に対応する視野画像を視聴することができる。
【００６５】
このように、ユーザ端末２Ｘに提供される視野映像に対してＡ席エリアの視点（第１視点）からＳ席エリアの視点（第２視点）への視点切替操作を行うときに、Ａ席エリアの視点からの視野映像がＳ席エリアの視点からの視野映像にシームレスに切り替わるため、ユーザＸは、ストレスを感じることなく異なる視点での視野映像の視聴を楽しむことができる。従って、ユーザが同一の映像コンテンツを異なる視点で視聴する場合に、映像コンテンツ配信サービスに対するユーザの満足度を向上させることが可能な映像コンテンツ配信システム１００及びコンテンツ管理サーバ３を提供することができる。
【００６６】
次に、ステップＳ９において、視聴開始時刻決定部３２７は、ユーザＸが切替後の視点であるＳ席エリアの視点からの視野映像の視聴を開始するＳ席視聴開始時刻（第２視聴開始時刻）を決定する。具体的には、視聴開始時刻決定部３２７は、送信開始時刻決定部３２９によって決定された送信開始時刻（ｔ２＝００：０３）をＳ席視聴開始時刻として決定する。例えば、本ステップの後、コンテンツ管理サーバ３（受信部３２１）が、視野映像の視点をＳ席エリアの視点からＢ席エリアの視点に切り替えることを要求する視点切替要求信号を受信したとき、視聴停止時刻決定部３２６は、ユーザＸがＳ席エリアの視点（第２視点）からの視野映像の視聴を停止するＳ席視聴停止時刻（第２視聴停止時刻）を決定する。具体的には、視聴停止時刻決定部３２６は、視点切替要求信号を取得した取得時刻をＳ席視聴停止時刻として決定する。
【００６７】
また、既に説明したように、コンテンツ管理サーバ３（受信部３２１）が視点切替要求信号を受信した場合に、視聴停止時刻決定部３２６は、Ａ席視聴停止時刻を決定するとともに、視聴開始時刻決定部３２７は、Ｓ席視聴開始時刻を決定する。
【００６８】
また、視聴時間決定部３２８は、Ａ席視聴開始時刻（第１視聴開始時刻）とＡ席視聴停止時刻（第１視聴停止時刻）に基づいて、Ａ席エリアの視点からの視野映像の視聴時間であるＡ席視聴時間（第１視聴時間）を決定する。具体的には、視聴時間決定部３２８は、Ａ席視聴停止時刻とＡ席視聴開始時刻との差分（Ａ席視聴停止時刻−Ａ席視聴開始時刻）により、Ａ席視聴時間を算出する。
【００６９】
同様に、視聴時間決定部３２８は、Ｓ席視聴開始時刻（第２視聴開始時刻）とＳ席視聴停止時刻（第２視聴停止時刻）に基づいて、Ｓ席エリアの視点からの視野映像の視聴時間であるＳ席視聴時間（第２視聴時間）を決定する。具体的には、視聴時間決定部３２８は、Ｓ席視聴停止時刻とＳ席視聴開始時刻との差分（Ｓ席視聴停止時刻−Ｓ席視聴開始時刻）により、Ｓ席視聴時間を算出する。
【００７０】
このように、本実施形態によれば、Ａ席視聴開始時刻とＡ席視聴停止時刻に基づいて、Ａ席視聴時間が決定されるとともに、Ｓ席視聴開始時刻とＳ席視聴停止時刻に基づいて、Ｓ席視聴時間が決定される。従って、各視点に対する視野映像の視聴時間が決定されるので、ユーザごとの各視点の視野映像の視聴時間データを記録でき、当該視聴時間データを映像コンテンツ配信サービスに対するユーザの満足度向上のために利用することができる。
【００７１】
また、ユーザ課金情報管理テーブル更新部３３１は、Ａ席視聴時間に基づいて、Ａ席エリアの視点に対応する累計視聴時間（ユーザ課金情報）を更新すると共に、Ｓ席視聴時間に基づいて、Ｓ席エリアの視点に対応する累計視聴時間（ユーザ課金情報）を更新する（図１０参照）。このように、本実施形態によれば、各視点の視野映像の視聴時間に応じた従量課金システムを提供することができるので、映像配信サービスに対するユーザの満足度を向上させることが可能となる。
【００７２】
また、ユーザ課金総額演算部３３０は、各視点（Ｓ席からＤ席）に対応する累計視聴時間（ユーザ課金情報）に基づいて、視野映像の視聴によりユーザＸに課金すべき課金総額（図１０では６６７円）を決定する。このように、各視点（Ｓ席からＤ席）の視野映像の視聴時間に応じた従量課金システムを提供することができるので、映像コンテンツ配信サービスに対するユーザの満足度や納得感を向上させることが可能となる。
【００７３】
また、本実施形態によれば、視聴停止時刻決定部３２６が視点切替要求信号（特に、視点切替要求信号に含まれる情報、例えば、ユーザＩＤ情報）を取得した取得時刻（ｔ１＝００：０２）がＡ席視聴停止時刻として決定されるとともに、送信部３２５がＳ席エリアの視点に対応する視野映像データのユーザ端末２Ｘへの送信を開始する送信開始時刻（ｔ２＝００：０３）がＳ席視聴開始時刻として決定される。このように、取得時刻ｔ１と送信開始時刻ｔ２との間の期間（１秒間）は、視野映像の視聴時間としてカウントされないので、映像配信サービスに対するユーザの満足度や納得感を向上させることが可能となる。
【００７４】
（第２実施形態）
次に、図１２，１３を参照して第２実施形態に係る映像コンテンツ配信システム１００Ａについて説明する。図１２は、第２実施形態におけるコンテンツ管理サーバ３の制御部３２Ａの機能ブロックを示す。図１３は、第２実施形態に係る映像コンテンツ配信システム１００の一連のプロセスを示すシーケンス図である。第２実施形態に係る映像コンテンツ配信システム１００Ａは、コンテンツ管理サーバ３の制御部の機能の点で第１実施形態に係る映像コンテンツ配信システム１００と相違する。具体的には、コンテンツ管理サーバ３の制御部３２Ａは、制御部３２の各構成要素に加えて、通信遅延予測部３３２と、到達時刻予測部３３３をさらに備える。
【００７５】
図１２に示すように、通信遅延予測部３３２は、コンテンツ管理サーバ３とユーザ端末２との間の通信遅延を予測するように構成されている。ここで、コンテンツ管理サーバ３とユーザ端末２との間の通信遅延とは、コンテンツ管理サーバ３の送信部３２５が切替後の視点に対応する視野映像データを送信してから、ユーザ端末２の受信部２２１が当該視野映像データを受信するまでの期間である。つまり、通信遅延とは、通信ネットワーク１の通信環境に大きく依存する。例えば、コンテンツ管理サーバ３（情報取得部３２２）がＡ席エリアの視点（切替前の視点）に対応する視野映像データの下り通信速度情報をユーザ端末２から取得した後、通信遅延予測部３３２は、当該取得された下り通信速度情報に基づいて、コンテンツ管理サーバ３とユーザ端末２との間の通信遅延を予測してもよい。
【００７６】
到達時刻予測部３３３は、送信開始時刻決定部３２９によって決定された送信開始時刻と通信遅延予測部３３２によって予測された通信遅延とに基づいて、切替先の視点に対応する視野映像データがユーザ端末２に到達した到達時刻を予測するように構成されている。
【００７７】
次に、図１３を参照して第２実施形態に係る映像コンテンツ配信システム１００Ａの一連のプロセスについて説明する。第２実施形態に係る映像コンテンツ配信システムの一連のプロセスは、Ｓ席視聴開始時刻（Ａ席視聴開始時刻）の決定手法の点で第１実施形態に係る映像コンテンツ配信システムの一連のプロセスと相違する。
【００７８】
最初に、ステップＳ１１において、ユーザ端末２Ｘは、表示部２７に表示された視野映像の視点をＡ席エリアの視点からＳ席エリアの視点に切り替えることを要求する視点切替要求信号をコンテンツ管理サーバ３に送信する。ステップＳ１１の内容は、図８に示すステップＳ１の内容と同じある。次に、ステップＳ１２において、視聴停止時刻決定部３２６は、Ａ席視聴停止時刻（第１視聴停止時刻）を決定する。ステップＳ１２の内容は、図８に示すステップＳ２の内容と同じである。
【００７９】
ステップＳ１３において、送信開始時刻決定部３２９は、送信部３２５がＳ席エリアの視点に対応する視野映像データのユーザ端末２Ｘへの送信を開始する送信開始時刻を決定する。ステップＳ１３の内容は、図８に示すステップＳ３の内容と同じである。
【００８０】
ステップＳ１４において、ユーザ視点情報管理テーブル更新部３２４は、記憶部３３に保存されたユーザ視点情報管理テーブル（図９参照）の内容を更新する。ステップＳ１４の内容は、図８に示すステップＳ４の内容と同じである。
【００８１】
次に、ステップＳ１５において、通信遅延と送信開始時刻に基づいて到達時刻が予測される。具体的には、最初に、通信遅延予測部３３２は、コンテンツ管理サーバ３とユーザ端末２との間の通信遅延を予測する。その後、到達時刻予測部３３３は、送信開始時刻決定部３２９によって決定された送信開始時刻と通信遅延予測部３３２によって予測された通信遅延とに基づいて、Ｓ席エリアの視点に対応する視野映像データがユーザ端末２Ｘに到達する到達時刻を予測する。ここで、予測された到達時刻は、ｔ４＝００：０４とする。
【００８２】
さらに、ステップＳ１６において、コンテンツ管理サーバ３は、Ｓ席エリアの視点に対応する３６０度空間映像データを保存しているコンテンツサーバ５ＳからＳ席エリアの視点に対応する視野映像データを取得する。ステップＳ１６の内容は、図８に示すステップＳ５の内容と同じである。次に、ステップＳ１７において、コンテンツ管理サーバ３は、Ｓ席エリアの視点に対応する視野映像データをユーザ端末２Ｘに送信する。ステップＳ１７の内容は、図８に示すステップＳ６の内容と同じである。また、ステップＳ１８，Ｓ１９の内容は、図８に示すステップＳ７，Ｓ８の内容と同じである。
【００８３】
ステップＳ２０において、視聴開始時刻決定部３２７は、ユーザＸが切替後の視点であるＳ席エリアの視点からの視野映像の視聴を開始するＳ席視聴開始時刻（第２視聴開始時刻）を決定する。具体的には、視聴開始時刻決定部３２７は、到達時刻予測部３３３によって予測された到達時刻（ｔ４＝００：０４）をＳ席視聴開始時刻として決定する。
【００８４】
このように、本実施形態によれば、視聴停止時刻決定部３２６が視点切替要求信号（特に、視点切替要求信号に含まれる情報、例えば、ユーザＩＤ情報）を取得した取得時刻（ｔ１＝００：０２）がＡ席視聴停止時刻として決定されるとともに、Ｓ席エリアの視点に対応する視野映像データがユーザ端末２Ｘに到達した到達時刻（ｔ４＝００：０４）がＳ席視聴開始時刻として決定される。このように、取得時刻ｔ１と到達時刻ｔ４との間の期間（２秒）は、視野映像の視聴時間としてカウントされないので、映像配信サービスに対するユーザの満足度や納得感を向上させることが可能となる。
【００８５】
（第３実施形態）
次に、図１４〜図１６を参照して第３実施形態に係る映像コンテンツ配信システム１００Ｂについて説明する。図１４は、第３実施形態におけるユーザ端末２の制御部２２Ａの機能ブロック図を示す。図１５は、第３実施形態におけるコンテンツ管理サーバ３の制御部３２Ｂの機能ブロック図を示す。図１６は、第３実施形態に係る映像コンテンツ配信システム１００Ｂの一連のプロセスを示すシーケンス図を示す。第３実施形態に係る映像コンテンツ配信システム１００Ｂは、ユーザ端末２の制御部の機能とコンテンツ管理サーバ３の制御部の機能の点で第１実施形態に係る映像コンテンツ配信システム１００と相違する。具体的には、ユーザ端末２の制御部２２Ａは、制御部２２の各構成要素に加えて、タイムスタンプ生成部２２６をさらに備える。また、コンテンツ管理サーバ３の制御部３２Ｂは、視聴停止時刻決定部３２６の視聴停止時刻の決定手法と視聴開始時刻決定部３２７の視聴開始時刻の決定手法の点で、制御部３２と相違する。
【００８６】
図１４に示すように、タイムスタンプ生成部２２６は、タイムクロック２５が示す現在時刻を参照することで、第１タイムスタンプと第２タイムスタンプとを生成するように構成されている。第１タイムスタンプは、送信部２２５が視点切替要求信号のコンテンツ管理サーバ３への送信を開始した送信開始時刻（例えば、ｔ０＝００：０１）を示し、第２タイムスタンプは、表示制御部２２３が切替先の視点（例えば、Ｓ席エリアの視点）からの視野映像の表示部２７への表示を開始した表示開始時刻（例えば、ｔ４＝００：０４）を示す。送信部２２５は、通信インターフェース２６を介してタイムスタンプ生成部２２６によって生成された第１，２タイムスタンプをコンテンツ管理サーバ３に送信する。
【００８７】
次に、図１６を参照して第３実施形態に係る映像コンテンツ配信システム１００Ｂの一連のプロセスについて説明する。第３実施形態に係る映像コンテンツ配信システム１００Ｂの一連のプロセスは、Ａ席視聴停止時刻（Ｓ席視聴停止時刻）とＳ席視聴開始時刻（Ａ席視聴開始時刻）との決定手法の点で第１実施形態に係る映像コンテンツ配信システム１００の一連のプロセスと相違する。
【００８８】
最初に、ステップＳ２１において、ユーザ端末２Ｘ（送信部２２５）は、表示部２７に表示された視野映像の視点をＡ席エリアの視点からＳ席エリアの視点に切り替えることを要求する視点切替要求信号と第１タイムスタンプをコンテンツ管理サーバ３に送信する。第１タイムスタンプは、タイムスタンプ生成部２２６によって生成され、送信部２２５が視点切替要求信号のコンテンツ管理サーバ３への送信を開始した送信開始時刻（ｔ０＝００：０１）を示している。
【００８９】
次に、ステップＳ２２において、視聴停止時刻決定部３２６は、ユーザＸが切替前の視点であるＡ席エリアの視点からの視野映像の視聴を停止するＡ席視聴停止時刻（第１視聴停止時刻）を決定する。具体的には、視聴停止時刻決定部３２６は、ユーザ端末２Ｘから送信された第１タイムスタンプに示された送信開始時刻（ｔ０＝００：０１）をＡ席視聴停止時刻として決定する。また、次のステップＳ２３からＳ２７は、図８に示すステップＳ３からＳ７と同じであることから説明を割愛する。
【００９０】
ステップＳ２８において、表示制御部２２３は、Ｓ席エリアの視点に対応する視野映像データに基づいて、表示部２７にＳ席エリアの視点からの視野映像を表示する。その後、タイムスタンプ生成部２２６は、表示制御部２２３がＳ席エリアの視点からの視野映像の表示部２７への表示を開始した表示開始時刻（例えば、ｔ４＝００：０４）を示す第２タイムスタンプを生成し、送信部２２５は、当該生成された第２タイムスタンプをコンテンツ管理サーバ３に送信する。
【００９１】
次に、ステップＳ２９において、視聴開始時刻決定部３２７は、ユーザＸが切替後の視点であるＳ席エリアの視点からの視野映像の視聴を開始するＳ席視聴開始時刻（第２視聴開始時刻）を決定する。具体的には、視聴開始時刻決定部３２７は、ユーザ端末２Ｘから送信された第２タイムスタンプに示された表示開始時刻（ｔ３＝００：０４）をＳ席視聴開始時刻として決定する。
【００９２】
このように、本実施形態によれば、第１タイムスタンプに示された送信部２２５が視点切替要求信号のコンテンツ管理サーバ３への送信を開始した送信開始時刻（ｔ０＝００：０１）がＡ席視聴停止時刻として決定されるとともに、第２タイムスタンプに示された表示制御部２２３がＳ席エリアの視点からの視野映像の表示部２７への表示を開始した表示開始時刻（ｔ３＝００：０４）がＳ席視聴開始時刻として決定される。このように、送信開始時刻ｔ０と表示開始時刻ｔ３との間の期間（３秒）は、視野映像の視聴時間としてカウントされないので、映像配信サービスに対するユーザの満足度や納得感を向上させることが可能となる。
【００９３】
以上、本発明の実施形態について説明をしたが、本発明の技術的範囲が本実施形態の説明によって限定的に解釈されるべきではないのは言うまでもない。本実施形態はあくまでも一例であって、特許請求の範囲に記載された発明の範囲内において、様々な実施形態の変更が可能であることが当業者によって理解される。このように、本発明の技術的範囲は特許請求の範囲に記載された発明の範囲及びその均等の範囲に基づいて定められるべきである。
【符号の説明】
【００９４】
１：通信ネットワーク
２，２Ｘ，２Ｙ：ユーザ端末
３：コンテンツ管理サーバ
５，５Ｓ，５Ａ，５Ｂ，５Ｃ，５Ｄ：コンテンツサーバ
２０：通信バス
２１：制御装置
２２，２２Ａ：制御部
２３：記憶部
２４：Ｉ／Ｏインターフェース
２５：タイムクロック
２６：通信インターフェース
２７：表示部
２８：入力操作部
２９：センサ
３０：通信バス
３２，３２Ａ，３２Ｂ：制御部
３３：記憶部
３５：タイムクロック
３６：通信インターフェース
５０：通信バス
５２：制御部
５３：記憶部
５６：通信インターフェース
１００，１００Ａ、１００Ｂ：映像コンテンツ配信システム
２２１：受信部（第１受信部）
２２２：視線変更信号生成部
２２３：表示制御部
２２４：視点切替要求信号生成部
２２５：視線変更信号生成部
２２５：送信部（第１送信部）
２２６：タイムスタンプ生成部
３２１：受信部（第２受信部）
３２２：情報取得部
３２３：視野映像データ要求信号生成部
３２４：ユーザ視点情報管理テーブル更新部
３２５：送信部（第２送信部）
３２６：視聴停止時刻決定部
３２７：視聴開始時刻決定部
３２８：視聴時間決定部
３２９：送信開始時刻決定部
３３０：ユーザ課金総額演算部
３３１：ユーザ課金情報管理テーブル更新部（ユーザ課金情報更新部）
３３２：通信遅延予測部
３３３：到達時刻予測部
５２１：受信部
５２２：視野映像データ生成部
５２３：送信部
【図１】
2017139794.tif 000003
【図２】
2017139794.tif 000004
【図３】
2017139794.tif 000005
【図４】
2017139794.tif 000006
【図５】
2017139794.tif 000007
【図６】
2017139794.tif 000008
【図７】
2017139794.tif 000009
【図８】
2017139794.tif 000010
【図９】
2017139794.tif 000011
【図１０】
2017139794.tif 000012
【図１１】
2017139794.tif 000013
【図１２】
2017139794.tif 000014
【図１３】
2017139794.tif 000015
【図１４】
2017139794.tif 000016
【図１５】
2017139794.tif 000017
【図１６】
2017139794.tif 000018